(57)【特許請求の範囲】
【請求項１】
主幹ブレーカと，複数の２極分岐ブレーカと，該主幹ブレーカと複数の２極分岐ブレーカを電気的に接続する導体装置を含む単相３線式分電盤の，分岐ブレーカの片方の極に接続する導体相を中性相と電圧相に切替えて分岐ブレーカへの供給電圧を切替える電圧切替装置において，
該電圧切替装置は，前記分岐ブレーカの片方の極の端子に接続され長孔を有する送り板と，中性相と第一及び第二の電圧相の導体と，筒状導体子と，前記送り板に形成された長孔と筒状導体子を貫通し，筒状導体子を中性相もしくは電圧相の導体の接続部に選択的に接続するねじと，該ねじが接続される雌ねじ部材を含んでなるものであり，
前記電圧切替部の中性相と電圧相の導体の筒状導体子への接続部は前記筒状導体子接続面部を含むＵ字状切欠部であり，
前記長孔の端と端にそれぞれＵ字状切欠部のＵ字の開口が内向きとなるよう配置され，
前記ねじと雌ねじ部材は送り板の長孔の端部にて該送り板と夫々のＵ字状切欠部の間に筒状導体子を圧接状に締めつける一方，
ねじを緩めた状態では送り板の長孔内を筒状導体子及び雌ねじとともに移動され，
送り板長孔の中央部には，
前記Ｕ字状切欠部を切替える際にねじを緩めた状態で乗り越えが可能となるとともに，
分電盤を壁面に取り付けた状態ではねじ及び雌ねじ部材の脱落を防止する凸部を形成し,
該凸部を乗り越えた位置が締めつけ位置となる位置規制部を形成したことを特徴とする単相３線式分電盤の電圧切替装置。
【発明の詳細な説明】
【０００１】
【発明の属する技術分野】
この発明は単相３線式分電盤に関し，特に，その分岐ブレーカの電圧切替装置に関するものである。
【０００２】
【従来の技術】
分岐ブレーカの電圧切替装置としては，従来，図１に示すようなものがあった。図１において，１１は第一の電圧相の導体，１２は中性相の導体，１３は第二の電圧相の導体である。１４，１５は分岐ブレーカ，１６，２０は送り板，１７はねじ，１８は筒状導体子，１９は雌ねじ部材である。１１０１は第一の電圧相の導体１１から延出する接続部で，分岐ブレーカ１４の端子１４０２に接続される。なお，図の分岐ブレーカの端子は，導体を弾性による挟み込みで接続するプラグイン状のものとして設定している。１６の送り板は，接続部１６０１と長孔１６０２を有し，接続部１６０１は分岐ブレーカ１４の端子１４０１に接続される。１２０２と１３０３は中性相導体と第二の電圧相導体のＵ字状切欠部で，それぞれに１２０１と１３０２のように筒状導体接続面部を含み，送り板１６の長孔１６０２の端と端にそれぞれＵ字切欠部のＵ字の開口が内向きとなるよう配置されている。ねじ１７と雌ねじ部材１９は，送り板１６とＵ字状切欠部１２０２または１３０３の間に筒状導体子１８を選択して圧接状に締めつける。１２０２を選択した場合は，分岐ブレーカ１４には，第一の電圧相の導体１１と中性相の導体１２から電圧が供給されて１００Ｖとなる。また１３０３を選択した場合は第一の電圧相の導体１１と第二の電圧相の導体１３から電圧が供給されて２００Ｖとなる。１５の分岐ブレーカについても接続部１３０１と２００１から電圧が供給され，電圧の切替えは１４のブレーカの場合と同様である。
【０００３】
図２は，その様子を断面で表した図で，図１の分岐ブレーカ１５に接続される送り板２０について示している。図２において２１は，絶縁部材で，図１では図示されていなかったが，図１の送り板や筒状導体子やその他の構成部材の支持や，異極間の絶縁を確保している。図１において，ブレーカ１５は，送り板２０の接続部２００１と第二の電圧相導体１３の接続部１３０１に接続されて電圧を供給される。図２は，送り板２０が筒状導体子１８により中性相導体１２のＵ字状切欠部１２０４に接続されている状態を表している。
【０００４】
【発明が解決しようとする課題】
上記のような従来の単相３線式分電盤の電圧切替装置は，電圧切替えに当たって，ねじ１７を緩めて筒状導体子１８と雌ねじ部材１９ごと長孔内を端から端まで移動させ，ねじを再び締めつけるのみで簡単に電圧を切替えることができるものである。
【０００５】
しかしながら，分電盤は通常，垂直な壁面に対し，図１のブレーカの底面を平行に送り板１６，２０の長孔が垂直になるように取り付けるから，ねじ１７を緩めて長孔の上方に移動させた際にドライバの先端をねじから離すと，ねじと筒状導体子と雌ねじ部材が簡単に長孔の下方に落ちてしまうという問題があった。また，送り板の長孔内をねじが自在に移動できるため，ねじを締める際の位置決めが明確でなく，Ｕ字切欠部に中途半端に筒状導体子と雌ねじ部材が接触した状態でねじを締めてしまうことができて，ねじ締めによる接触が不完全となる可能性があった。
【０００６】
本発明は，図１に示すような従来例の電圧切替装置において，分電盤を壁面に取り付けた状態で，ねじを長孔の上方に移動させドライバの先端をねじから離した際に，ねじと筒状導体子と雌ねじ部材が簡単に長孔の下方に落ちることがなく，ねじを締める際の位置決めが明確で，Ｕ字切欠部に中途半端に筒状導体子と雌ねじ部材が接触することがなく，ねじ締めによる接触が完全とできるような電圧切替装置を提供することを目的としている。
【０００７】
【課題を解決するための手段】
そこで本件の発明は，主幹ブレーカと，複数の２極分岐ブレーカと，該主幹ブレーカと複数の２極分岐ブレーカを電気的に接続する導体装置を含む単相３線式分電盤の，分岐ブレーカの片方の極に接続する導体相を中性相と電圧相に切替えて分岐ブレーカへの供給電圧を切替える電圧切替装置において，該電圧切替装置は，前記分岐ブレーカの片方の極の端子に接続され長孔を有する送り板と，中性相と第一及び第二の電圧相の導体と，筒状導体子と，前記送り板に形成された長孔と筒状導体子を貫通し，筒状導体子を中性相もしくは電圧相の導体の接続部に選択的に接続するねじと，該ねじが接続される雌ねじ部材を含んでなるものであり，前記電圧切替部の中性相と電圧相の導体の筒状導体子への接続部は前記筒状導体子接続面部を含むＵ字状切欠部であり，
前記長孔の端と端にそれぞれＵ字状切欠部のＵ字の開口が内向きとなるよう配置され，
前記ねじと雌ねじ部材は送り板の長孔の端部にて該送り板と夫々のＵ字状切欠部の間に筒状導体子を圧接状に締めつける一方，
ねじを緩めた状態では送り板の長孔内を筒状導体子及び雌ねじとともに移動され，
送り板長孔の中央部には，
前記Ｕ字状切欠部を切替える際にねじを緩めた状態で乗り越えが可能となるとともに，
分電盤を壁面に取り付けた状態ではねじ及び雌ねじ部材の脱落を防止する凸部を形成し,
該凸部を乗り越えた位置が締めつけ位置となる位置規制部を形成したことを特徴とする単相３線式分電盤の電圧切替装置を提供したものである。それにより，長孔内のねじの移動は，長孔中央部の障害部を乗り越えておこなうことになるから，簡単にはねじが移動することがなくなり，ねじからドライバーの先端を離しても，ねじはその位置で保持される。また，ねじは障害部によって，長孔内の端に位置規制された状態で締め付けることができるから，接触が不完全になることがない。
【０００８】
【発明の実施の形態】
この発明の第１の実施例について図面を用いて以下に説明する。図３と図４は，本件発明，第一実施例の電圧切替装置の説明図である。
【０００９】
図において，１６０３と２００３は，送り板１６と２０の長孔１６０２と２００２の略中央部に形成された凸部である。１６０３と２００３以外の符号で示す部分は図１と図２に示す符号と同一であるので，説明を省略する。図４において，ねじ１７をゆるめて，筒状導体子１８の接続をＵ字状切欠部１１０２側に切替える際は，凸部２００３を乗り越える必要があるが，適度にねじを緩めれば可能である。一旦ねじ１７が凸部２００３を乗り越えた後は図４の第一の電圧相導体１１が上方になるように図の底面が垂直な状態となっても，凸部２００３にねじ１７の移動が阻止されて，容易に落ちることがない。また，凸部２００３によりねじ１７は，長孔２００２のどちらか一方の端に位置規制されるため，Ｕ字状切欠部の奥一杯までねじが入り込み，筒状導体子１８とＵ字状切欠部の接触が確実な状態でねじを締めることができる。
【００１０】
図５と図６は，本件発明の第二の実施例で，図３と図４の凸部１６０３と２００３を逆さにした凸部１６０４と２００４に置き換えたものであり，それによる作用効果は図３と図４に示す第一の例と同一である。
【００１１】
【効果】
以上のように本発明によれば，図１に示すような従来例の電圧切替装置において，ねじを長孔の上方に移動させドライバの先端をねじから離した際に，ねじと筒状導体子と雌ねじ部材が簡単に長孔の下方に落ちることがなく，ねじを締める際の位置決めが明確で，Ｕ字切欠部に中途半端に筒状導体子と雌ねじ部材が接触することがなく，ねじ締めによる接触を完全とできる電圧切替装置を提供することができる。
【図面の簡単な説明】
【図１】従来の分岐ブレーカの電圧切替装置の図。
【図２】従来の分岐ブレーカの電圧切替装置の断面図。
【図３】本件発明第一の実施例による電圧切替装置の図。
【図４】本件発明第一の実施例による電圧切替装置の断面図。
【図５】本件発明第ニの実施例による電圧切替装置の図。
【図６】本件発明第ニの実施例による電圧切替装置の断面図。
【符号の説明】
１１  第一の電圧相の導体
１２  中性相の導体
１３  第二の電圧相の導体
１６，２０  送り板
１６０２，２００２  長孔
１６０３，２００３  凸部
１６０４，２００４  凸部
１７  ねじ
１８  筒状導体子
１９  雌ねじ部材
２１  絶縁部材
【図１】
0004564643.tif 000002
【図２】
0004564643.tif 000003
【図３】
0004564643.tif 000004
【図４】
0004564643.tif 000005
【図５】
0004564643.tif 000006
【図６】
0004564643.tif 000007